(57)【要約】【課題】取り扱いや清掃が容易で、強風時でも砂塵の飛散がなく、降雨時にも砂の流出が発生せず、防火砂として利用可能な敷砂入床材ユニットを提供する。【解決手段】平面視して矩形状の敷砂入床材ユニットを、建物の屋内外部分の床面に複数並べて敷き詰めて敷砂入りの床材とする。これにより、あたかも砂浜を素足で歩いている心地良さが得られる。また、各敷砂入床材ユニットは砂袋収納容器に砂入袋を収納したものであるため、取り扱いや清掃が容易で、強風時でも砂塵が飛散せず、降雨時でも砂が流出しない。さらに、火災時には砂袋収納容器から砂入袋を取り出し、これを防火砂として利用することがきる。【選択図】図１
2014084654.tif 000002
【特許請求の範囲】
【請求項１】
建物の屋内外部分の床面に複数並べて使用される敷砂入床材ユニットであって、
少なくとも底板に排水孔を有して上面が開口した砂袋収納容器に、網袋に砂を充填した砂入袋を収納し、
前記砂は粒径が１ｍｍ〜５ｍｍである敷砂入床材ユニット。
【請求項２】
前記砂袋収納容器は、前記底板と各側板とのうち、少なくとも前記底板が、硬質の線材を目開き２〜８ｃｍの格子状に組んだ硬質の網材からなり、
前記砂入袋を、防砂シートにより覆った請求項１に記載の敷砂入床材ユニット。
【発明の詳細な説明】
【技術分野】
【０００１】
この発明は敷砂入床材ユニット、詳しくは建物の屋外に設置されるベランダやバルコニーなどで、砂浜を歩いているような触感を楽しめる敷砂入床材ユニットに関する。
【背景技術】
【０００２】
建物のベランダやバルコニーなどでは、例えばタイル、木材からなる矩形状の床材ユニットを、床面上に縦横方向に複数並べて敷き詰め、床面の保護、美観などを高めることが行われている。しかしながら、タイルや木材などは透水性に乏しいため、降雨後、ベランダに敷かれた床化粧材の上面に雨水が長時間残っている。
そこで、これを解消する従来技術として、例えば特許文献１の「床化粧材」が知られている。この「床化粧材」は、排水機能を有する矩形状の本体部材の上部内に、小石などの粒状の骨材が隙間をあけて樹脂接着された矩形板状の化粧部材を収納したものである。これにより、ベランダなどの床面に敷いた床化粧材の上に雨が降っても、雨水を床化粧材の上面に残すことなく速やかに下方に流し、床化粧材の上面の感触を常に良好に保つことができる。
【先行技術文献】
【特許文献】
【０００３】
【特許文献１】特開平１１−９３３７７号公報
【発明の概要】
【発明が解決しようとする課題】
【０００４】
しかしながら、特許文献１の化粧部材は、小石のような粒状の骨材を互いに隙間をあけて樹脂接着したものを採用していた。そのため、これを素足で踏んだ場合、小石のごつごつとした感じのみしか得られず、砂浜を歩いているような心地良さはなかった。そこで、ベランダなどに砂を敷き詰めることが考えられる。しかしながら、取り扱いや掃除(メンテナンス)が面倒であるとともに、強風時に砂塵が舞ったり、雨により砂が流出して排水孔が詰まるといった問題が発生するおそれがあった。
【０００５】
そこで、発明者は鋭意研究の結果、少なくとも底板に排水孔が形成された砂袋収納容器に砂入袋を収納した敷砂入床材ユニットを作製し、これを建物のベランダやバルコニーなどの屋内外部分の床面上に、縦横方向に複数並べて敷き詰めれば、上述した問題をすべて解消でき、かつ火災時に砂袋収納容器から砂入袋を取り出し、これを防火砂として利用可能なことを知見し、この発明を完成させた。
【０００６】
この発明は、取り扱いおよび清掃が容易で、強風時でも砂塵の飛散がなく、かつ降雨時にも排水性が良好でかつ砂の流出が発生せず、保水性が高いために夏季には長時間にわたる打ち水効果が得られるとともに、火災時に防火砂として利用することがきる敷砂入床材ユニットを提供することを目的としている。
【課題を解決するための手段】
【０００７】
請求項１に記載の発明は、建物の屋内外部分の床面に複数並べて使用される敷砂入床材ユニットであって、少なくとも底板に排水孔を有して上面が開口した砂袋収納容器に、網袋に砂を充填した砂入袋を収納し、前記砂は粒径が１ｍｍ〜５ｍｍである敷砂入床材ユニットである。
【０００８】
請求項１に記載の発明によれば、平面視して矩形状の敷砂入床材ユニットを、建物の屋内外部分の床面に複数並べて敷砂入りの床材とする。このように構成したため、その後、例えば素足で床材の上を歩けば、網袋を介して砂を踏むこととなり、あたかも砂浜を素足で歩いているような心地良さが得られる。また、各敷砂入床材ユニットとして、排水孔を有する砂袋収納容器に砂入袋を収納したものを採用したため、取り扱いおよび清掃が容易で、かつ強風時に砂塵が飛散せず、降雨時にも排水性が良好でかつ砂が流出しないとともに、保水性が高いことで夏季には長時間にわたる打ち水効果が得られる。しかも、火災時には砂入袋を砂袋収納容器から取り出し、網袋を開口してからこれを火中に投入することで、燃えている物に衝突した時の衝撃で砂入袋から砂が飛び出し、袋内の敷砂を防火砂として利用することがきる。
また、浜辺の砂に近い配合の１ｍｍ〜５ｍｍの砂を使用したため、床材の上を歩いた際、素足で砂浜を歩いている感触にさらに近い地良さを得ることができる。
【０００９】
敷砂入床材ユニットとは、砂入袋を砂袋収納容器に収納したもので、建物の屋内外部分の床面に複数並べて敷き詰めて使用する。
「建物の屋内外部分」としては、例えばベランダ、バルコニー、プールサイド、露天風呂、庭などが挙げられる。これらに敷砂入床材ユニットを敷き詰めて床材とすることで、床材の歩行中に滑って転倒するおそれが少ない。例えばベランダなどで幼児用プールを使用した際、幼児が水で濡れた床の上で滑って転倒するおそれがない。
砂袋収納容器としては、例えば平面視して三角形状、矩形状またはそれ以上の多角形状の容器を採用することができ、その素材としては、例えば各種の合成樹脂、各種の金属、各種のセラミックス、各種の木材などを採用することができる。ここでいう砂袋収納容器には枠体を含む。
砂袋収納容器には排水機能を付与するため、底板に排水孔が形成されている。排水孔の大きさ、形状および形成数は任意である。例えば、排水孔を砂袋収納容器の底板の全域に格子状に多数形成しても、底板を多孔質素材から形成してもよい。排水孔は、砂袋収納容器の周側板に形成してもよい。
網袋とは、充填された砂が流出しない目開き（通水性）を有し、火災時に火中に投入した際、壁などへの衝撃によって簡単に袋内の砂が飛び散る大きさの開口を有したネットで、その素材としては、例えばポリプロピレン糸、ポリエチレン糸、ポリ塩化ビニル糸などからなる各種の合成樹脂ネット、各種の布帛（特に編布）などを採用することができる。網袋の開口部には、開閉自在なファスナを設けてもよい。
【００１０】
砂としては、例えば各種の天然砂（海砂、川砂、山砂など）、砕砂類のほか各種の無機砂（ビーズなど）を採用することができる。好ましい砂の種類としては、山砂や砕砂類に比べて角が丸い海砂または川砂である。または、両方を所定割合で混合したものでもよい。海砂としては、例えば博多産（粗砂）の砂などを採用することができる。
砂の粒径が１ｍｍ未満では、砂が細かすぎることで、砂入袋の中で砂が固まり易く、砂浜の上を歩く感触が得られない。また、その砂の粒径が５ｍｍを超えれば、足の裏に小石のような硬い異物を踏んだ感触が生じる。特に、砂の好ましい最大粒径は３〜５ｍｍである。この範囲であれば、さらに心地よく砂浜を歩いたときの感触が得られるとともに、水はけがさらに高まる。
【００１１】
網袋に充填される砂の充填量は、例えば５〜２０ｋｇである。５ｋｇ未満では、床材を作製する際に、砂入袋の総使用数が多くなり過ぎて作業時間が長くなる。また、２０ｋｇを超えれば、１袋の砂入袋が重くなり過ぎてしまい、取り扱いがしにくい。網袋に充填される砂の好ましい充填量は、例えば１５〜１６ｋｇである。この範囲であれば、床材を作製する際の作業時間が短く、かつ成人の男女が支障なく持ち運ぶことができる。
【００１２】
請求項２に記載の発明は、前記砂袋収納容器は、前記底板と各側板とのうち、少なくとも前記底板が、硬質の線材を目開き２〜８ｃｍの格子状に組んだ硬質の網材からなり、前記砂入袋を、防砂シートにより覆った請求項１に記載の敷砂入床材ユニットである。
【００１３】
請求項２に記載の発明によれば、硬質の線材を目開き２〜８ｃｍの格子状に組んだ硬質の網材から、砂袋収納容器の底板と各側板とのうち、少なくとも底板を構成したため、砂入袋を砂袋収納容器に収納した際、網袋に充填された砂の自重で、砂入袋の裏面および周側面の略全域が、砂袋収納容器の底板と各側板とのうち、少なくとも底板を構成する網材にそれぞれめり込む（嵌り込む、落ち込む）。これにより、砂入袋の中の砂は、その網材の各網目にめり込んだ部分が、砂入袋の表面側から外力が作用しても容易には移動しない砂分となる。その結果、例えば、建物の屋内外部分の床面に敷砂入床材ユニットを複数並べて床材とし、その後、この床材の上を長期間歩行したとしても、例えば底板と各側板とが平坦な板材から構成された砂袋収納容器の場合に比べて、砂入袋内での砂の移動が抑制される。その結果、砂入袋が砂袋収納容器の内部空間で移動し難くなる。これにより、各砂袋収納容器内での砂入袋の偏りを直したり、各砂入袋において、砂の高さを揃える砂馴らしのメンテナンスの頻度を減らすことができる。
また、砂入袋を防砂シートにより覆うことで、砂入袋の破損を防止するとともに、仮に砂入袋が破れた場合の砂の飛散を防止することができる。
【００１４】
砂袋収納容器の底板と各側板との目開きが２ｃｍ未満および８ｃｍを超えれば、網材による砂袋収納容器内での砂入袋の滑り止め効果が小さい。底板と各側板との好ましい目開きは２〜５ｃｍである。この範囲であれば、底板において、各目開き領域への砂入袋の部分的な落ち込み量（数）が底板の高い開口率を保って適度に増加することから、砂入袋の滑り止め効果がさらに高まる。
砂袋収納容器のうち、「硬質の網材」からなる部分は、砂袋収納容器の底板のみでも、砂袋収納容器の各側板のみでも、これらの両方でもよい。
ここでいう「目開き２〜８ｃｍの格子状」とは、一辺が２〜８ｃｍの正方形状だけでなく、対峙する一方の両辺の長さが２〜８ｃｍで、それに直交する他方の両辺の長さが、該一方の両辺の長さより長い（例えば２〜５倍）場合を含む。
砂袋収納容器の底板の裏面には、例えばすの子形状のスペーサ（底上げ部材）を設けてもよい。
【００１５】
防砂シートとは、例えば護岸工事などで捨石の隙間から、背後の埋め立て土砂が流出するのを防ぐために裏込め石の背面に設けられる合成繊維の布（透水性シート）である。
ここでいう「砂入袋を防砂シートにより覆う」とは、砂袋収納容器に収納された砂入袋を個別に防砂シートにより覆う場合の他、使用状態で配列された複数の敷砂入床材ユニットにおいて、各敷砂入床材ユニットを一括して覆う場合も含む。
防砂シートの大きさは、各敷砂入床材ユニットの砂入袋を個別に覆うサイズでも、縦横に並べた複数の敷砂入床材ユニットにおいて、各砂入袋を一括して被覆可能な大きさでもよい。防砂シートは、例えば緑、白、青などに着色して敷砂入床材ユニットのデザイン性を高めることができる。また、防砂シートにより砂入袋を覆う方法としては、例えば防砂シートを砂入袋（敷砂入床材ユニット）の表面に被せた後、砂入袋（敷砂入床材ユニット）の裏面にまわし込む方法などを採用することができる。
【発明の効果】
【００１６】
請求項１に記載の発明によれば、平面視して矩形状の敷砂入床材ユニットを、建物の屋内外部分の床面に複数並べて敷き詰めて敷砂入りの床材とする。これにより、例えば素足で床材の上を歩けば、あたかも砂浜を素足で歩いている心地良さが得られる。また、各敷砂入床材ユニットは砂袋収納容器に砂入袋を収納したものであるため、取り扱いおよび清掃が容易で、かつ強風時でも砂塵の飛散がなく、降雨時にも排水性が良好でかつ砂が流出しないとともに、保水性が高いことで夏季には長時間にわたる打ち水効果が得られる。さらに、火災時には砂袋収納容器から砂入袋を取り出し、網袋を開口してからこれを火中に投入することで、燃えている物に衝突した時の衝撃で砂入袋から砂が飛び出し、袋内の敷砂を防火砂として利用することがきる。
また、浜辺の砂に近い配合となる１ｍｍ〜５ｍｍの砂を使用したため、床材の上を歩いた際、素足で砂浜を歩いている感触にさらに近い心地良さを得ることができる。
【００１７】
特に、請求項２に記載の発明によれば、砂袋収納容器の底板と各側板とのうち、少なくとも底板を、硬質の線材を目開き２〜８ｃｍの格子状に組んだ硬質の網材から構成したため、砂入袋を砂袋収納容器に収納した際、網袋に充填された砂の自重で、砂入袋の裏面および周側面の略全域が、砂袋収納容器の底板と各側板とのうち、少なくとも底板を構成する網材にそれぞれめり込む。これにより、砂入袋の中の砂は、その網材の各網目にめり込んだ部分が、砂入袋の表面側から外力が作用しても容易には移動しない砂分となる。その結果、例えば、建物の屋内外部分の床面に敷砂入床材ユニットを複数並べて床材とし、その後、この床材の上を長期間歩行したとしても、例えば底板と各側板とが平坦な板材から構成された砂袋収納容器の場合に比べて、砂入袋内での砂の移動が抑制される。その結果、砂入袋が砂袋収納容器の内部空間で移動し難くなる。これにより、各砂袋収納容器内での砂入袋の偏りを直したり、各砂入袋において、砂の高さを揃える砂馴らしのメンテナンスの頻度を減らすことができる。
また、砂入袋を防砂シートにより覆うことで、砂入袋の破損を防止するとともに、仮に砂入袋が破れた場合の砂の飛散を防止することができる。
【図面の簡単な説明】
【００１８】
【図１】この発明の実施例１に係る敷砂入床材ユニットの分解斜視図である。
【図２】この発明の実施例１に係る敷砂入床材ユニットの斜視図である。
【図３】この発明の実施例１に係る敷砂入床材ユニットの砂袋収納容器の平面図である。
【図４】この発明の実施例１に係る敷砂入床材ユニットの砂袋収納容器の側面図である。
【図５】この発明の実施例１に係る敷砂入床材ユニットの使用状態の平面図である。
【図６】この発明の実施例１に係る敷砂入床材ユニットの製造方法を示すフローシートである。
【図７】この発明の実施例１に係る別の使用形態の敷砂入床材ユニットの使用状態の平面図である。
【発明を実施するための形態】
【００１９】
以下、この発明の実施例を具体的に説明する。ここでは、住宅のバルコニーに敷設された敷砂入床材ユニットを例にとる。
【実施例】
【００２０】
図１〜図５において、１０はこの発明の実施例１に係る敷砂入床材ユニットである。敷砂入床材ユニット１０は、一般住宅のバルコニー（屋内外部分）Ｂの床面に縦横方向に複数並べて使用されて床材１１を構成するもので、底板１２および４枚の側板１３に排水孔１４を有して上面が開口した砂袋収納容器１５に、網袋１６に砂Ｓを充填した砂入袋１７を収納し、砂入袋１７の上から防砂シート１８によって砂袋収納容器１５の開口を覆ったものである。
【００２１】
以下、これらの構成部品を具体的に説明する。
図１〜図５に示すように、砂袋収納容器１５は、一辺が３０ｃｍの平面視して正方形の枠状の入れ物で、ポリプロピレンからなる正方形の枠体２０を本体とし、枠体２０の下端面の全域に、ポリプロピレンからなる硬質の線材２１を、目開き（一辺）３ｃｍの正方形の格子状に組んだ硬質の網材２２を一体的に連結したものである。砂袋収納容器１５の各側板１３の高さは３ｃｍ、そのうち、枠体２０の高さは約１ｃｍである。４本の側枠部２３を正方形に組んだ枠体２０のうち、隣接する２本の側枠部２３の外側面には、長さ方向に所定ピッチで４つのクサビ形凹部２４が形成されている。また、残り２本の側枠部２３の外側面からは、長さ方向に所定ピッチで、対応するクサビ形凹部２４に掛止可能なクサビ形凸部２５が一体的に突設されている。複数の砂袋収納容器１５の縦横方向への連結時には、隣接する砂袋収納容器１５の間において、対応するクサビ形凹部２４とクサビ形凸部２５とを嵌合することで、隣り合う敷砂入床材ユニット１０同士が着脱自在に連結される。
【００２２】
網袋１６は、ポリプロピレン糸を、充填された砂Ｓが流出しない目開き１．１８ｍｍ（分級点）で編まれ、開口部にチャックが付いたネット状の袋である。網袋１６は、砂Ｓを充填しない状態での一辺が３０ｃｍの正方形の袋である。
砂Ｓには、博多産（粗砂）の海砂が採用されている。この砂Ｓは、粒径が１ｍｍ〜５ｍｍの砂Ｓを分級点１．１８ｍｍで細粒砂Ｓ１と粗粒砂Ｓ２とに分級し、得られた細粒砂Ｓ１と粗粒砂Ｓ２とを７：６の割合で混合して混合砂としたものである。使用される砂Ｓの乾燥重量は約１３ｋｇである。この砂Ｓが均一厚さで充填された砂入袋１７の厚さは、４ｃｍである。したがって、砂入袋１７は、その上部が、砂袋収納容器１５の全域にわたって、砂袋収納容器１５の上縁より１ｃｍだけ突出している。これにより、敷砂入床材ユニット１０の上を歩いた際、足の裏が砂袋収納容器１５の周縁に接触することがなく、常に砂Ｓの感触が得られる。
防砂シート１８は、使用状態で配列されたすべての敷砂入床材ユニット１０を覆えるポリプロピレン製の透水性を有した矩形シートである。
【００２３】
次に、図６を参照して、この発明の実施例１に係る敷砂入床材ユニット１０の製造方法を説明する。
まず、博多湾から採取したままの砂Ｓを水洗いする（水洗工程）。具体的には、大型の水槽に海砂（１５ｋｇ）を投入し、これを撹拌羽根を有する撹拌装置により所定時間撹拌する。その後、水槽内で海砂を所定静置し、比重差により砂Ｓを沈降させ、異物を含む上澄み液を排出するという一連の作業を３〜５回繰り返す。これにより、海砂の表面に付着した塩分やシルトなどを除去することができる。
次いで、水洗した海砂の中から、粒径１ｍｍ〜５ｍｍの砂Ｓを１次分級する（１次分級工程）。具体的には、まず分級点が５ｍｍの篩を使用し、砂Ｓの中から５ｍｍ以下のものを分級する。次に、分級点１ｍｍの篩を使用し、得られた５ｍｍ以下の砂Ｓの中から１ｍｍ未満のものを除去する。これにより、粒径１ｍｍ〜５ｍｍの海砂が１次分級される。
【００２４】
次に、このように１次分級された砂Ｓを、分級点１．１８ｍｍの篩を使用し、１．１８ｍｍ未満の細粒砂Ｓ１と、１．１８ｍｍ以上の粗粒砂Ｓ２とに２次分級する（２次分級工程）。
その後、得られた細粒砂Ｓ１と粗粒砂Ｓ２とを７：６の割合で混合し、混合砂を作製する（混合工程）。
次に、この混合砂を、次亜塩素酸ナトリウム溶液（有効塩素濃度１％）で１０分間表面殺菌する（殺菌工程）。なお、この薬液殺菌に代えて、加熱乾燥または天日干しによる殺菌でもよい。
次に、この殺菌後の混合砂を、目開きが１．１８ｍｍ（分級点）の網袋１６に１３ｋｇ充填し、袋の厚さを４ｃｍで均一にならして、砂入袋１７を作製する（充填工程）。その後、砂入袋１７を砂袋収納容器１５に収納する（砂袋収納工程）。こうして、敷砂入床材ユニット１０が製造される。
【００２５】
次に、図５および図７を参照して、この発明の実施例１に係る敷砂入床材ユニット１０の使用方法を説明する。
図５に示すように、得られた複数の敷砂入床材ユニット１０を、一般住宅のバルコニーＢの床面の全域に、縦横格子状に並べて敷き詰め、敷砂入りの床材１１を付設する。その後、得られたすべての敷砂入床材ユニット１０を、１枚の大判の防砂シート１８により包み込む。その他、複数枚の小判の防砂シートを使用し、各敷砂入床材ユニット１０の砂入袋１７を個別に覆ってもよい。また、バルコニーＢの隅部の形状が面取り形状の場合には、その形状に応じるように、隅部の敷砂入床材ユニットとして、平面視して二等辺三角形の敷砂入床材ユニット１０Ａを採用してもよい（図７）。
これにより、例えば素足で床材１１の上を歩けば、あたかも砂浜を素足で歩いている心地良さが得られる。また、各敷砂入床材ユニット１０は砂袋収納容器１５に砂入袋１７を収納したものであるため、取り扱いおよび清掃が容易で、かつ強風時でも砂塵の飛散がなく、降雨時にも排水性が良好でかつ砂Ｓが流出しないとともに、保水性が高いことで夏季には長時間にわたる打ち水効果が得られる。さらに、火災時には、防砂シート１８を剥がして砂袋収納容器１５から砂入袋１７を取り出し、網袋１６のチャックを開いてからこれを火中に投入することで、燃えている物に衝突した時の衝撃で砂入袋１７の中から砂が飛び出し、袋内の敷砂を防火砂として利用することがきる。
【００２６】
さらに、砕砂などに比べて角が丸く、浜辺の砂に近い配合となる１ｍｍ〜５ｍｍの海砂を、分級点１．１８ｍｍで細粒砂Ｓ１と粗粒砂Ｓ２とに分級し、かつこれらを７：６の割合で混合した混合砂として使用したため、床材１１の上を歩いた際、素足で砂浜を歩いている感触にさらに近い心地良さを得ることができる。
さらにまた、砂袋収納容器１５の底板１２と各側板１３とを、線材を目開き３ｃｍの正方形の格子状に組んだ網材から構成したため、砂入袋１７を砂袋収納容器１５に収納した際、網袋１６に充填された砂Ｓの自重で、砂入袋１７の裏面および周側面の略全域が、砂袋収納容器１５の底板１２と各側板１３とを構成する網材にそれぞれめり込む。これにより、砂入袋１７の中の砂Ｓは、その網材の各網目にめり込んだ部分が、砂入袋１７の表面側から外力が作用しても容易には移動しない砂分となる。その結果、例えば、バルコニーＢの床面に敷砂入床材ユニット１０を複数並べて床材１１とし、その後、この床材１１の上を長期間歩行したとしても、例えば底板と各側板とが平坦な板材から構成された砂袋収納容器の場合に比べて、砂入袋１７内での砂Ｓの移動が抑制される。その結果、砂入袋１７が砂袋収納容器１５の内部空間で移動し難くなる。これにより、各砂袋収納容器１５内での砂入袋１７の偏りを直したり、各砂入袋１７において、砂の高さを揃える砂馴らしのメンテナンスの頻度を減らすことができる。
【産業上の利用可能性】
【００２７】
この発明は、建物の屋内外部分で、あたかも砂浜を歩いているような触感が楽しめる床材の技術として有用である。
【符号の説明】
【００２８】
１０，１０Ａ  敷砂入床材ユニット、
１２  底板、
１４  排水孔、
１５  砂袋収納容器、
１６  網袋、
１７  砂入袋、
１８  防砂シート、
Ｓ  砂、
Ｓ１  細粒砂、
Ｓ２  粗粒砂。
【図１】
2014084654.tif 000003
【図２】
2014084654.tif 000004
【図３】
2014084654.tif 000005
【図４】
2014084654.tif 000006
【図５】
2014084654.tif 000007
【図６】
2014084654.tif 000008
【図７】
2014084654.tif 000009